(57)【要約】眼科手術における使用のための流体流レジスタ（１０）が、入口（１４）および出口（１６）を有するハウジング（１２）を備える。細長タービン（２２）は、流体流によりハウジング（１２）中でスピンさせられ、これは、流体流からエネルギーを抽出し、そして入口（１４）から出口（１６）への流体流に対する抵抗を効果的に増大する。本発明は、眼科手術の間に吸引流体流を制御するためのデバイスに関する。より詳細には、本発明は、眼科手術の間の吸引経路における流体流に対する抵抗性を増大するための吸引流体流レジスタに関する。
2005531366.tif 000002
【特許請求の範囲】
【請求項１】
眼科手術での使用のための流体流レジスタであって、該流体流レジスタが、以下：
ハウジング中に流体流を受けるための入口および出口を備えるハウジング；および
該ハウジング中に配置される細長タービンであって、その結果、該入口からの流体流が、該タービンをスピンさせ、これにより該流体流からエネルギーを抽出し、そして該入口から該出口への流体流の抵抗を効果的に増大する、タービン
を備える、流体流レジスタ。
【請求項２】
請求項１に記載のレジスタであって、該レジスタが、前記タービンを最小の摩擦抵抗でスピンさせるための、前記ハウジングと該タービンとの間のベアリングをさらに備える、レジスタ。
【請求項３】
請求項１に記載のレジスタであって、前記タービンが、周りにスレッドが形成される細長中心シャフトを備える、レジスタ。
【請求項４】
請求項３に記載のレジスタであって、前記スレッドの各々の各々の回転が、中心シャフトに沿って十分な距離の間隔を空けられており、吸引粒子が前記入口から前記出口へ詰まることなく流れることを可能にする、レジスタ。
【請求項５】
眼科手術での使用のための流体流レジスタカセットであって、該カセットが、以下：
レザバ中の外科的部位から吸引流体を受けかつ集めるための吸引流体収集カセット；
該カセットと一体形成されたハウジングであって、その結果該ハウジングが、該吸引流体を受けるための入口および該レザバと連絡している出口を備える、ハウジング；ならびに
該ハウジング中に配置された細長タービンであって、その結果、該入口からの吸引流体の流れが、該タービンをスピンさせ、これにより該流体流からエネルギーを抽出し、該入口から該出口への流体流への抵抗を効果的に増大する、タービン
を備える、流体流レジスタカセット。
【請求項６】
請求項５に記載のレジスタであって、該レジスタが、前記タービンが最小摩擦係数でスピンすることを可能にするための、前記ハウジングと該タービンとの間のベアリングを備える、レジスタ。
【請求項７】
請求項５に記載のレジスタであって、前記タービンが、周りにスレッドが形成される細長中心シャフトを備える、レジスタ。
【請求項８】
請求項５に記載のレジスタであって、前記スレッドの各々の回転が、中心シャフトに沿って十分な距離の間隔を空けられており、吸引粒子が詰まることなく前記入口から前記出口に流れることを可能にする、レジスタ。
【発明の詳細な説明】
【技術分野】
【０００１】
（発明の背景）
（発明の分野）
本発明は、眼科手術の間に吸引流体流を制御するためのデバイスに関する。より詳細には、本発明は、眼科手術の間の吸引経路における流体流に対する抵抗性を増大するための吸引流体流レジスタに関する。
【背景技術】
【０００２】
（関連分野の記載）
眼の手術、特に白内障手術の間、外科医は、患者の眼に用いられる真空または吸引の量と外科医が手術の間に起こり得る事象に対して応答しなければならない期間との間に不安を経験する。外科医は、代表的に、白内障に対してより高い保持力を提供するより高い真空レベルをより好む。しかし、これらのより高い真空レベルは、吸引ライン中に閉塞のような事象が起こる場合、外科医による迅速な応答時間の必要を生じる。真空レベルが高くなればなるほど、事象はより迅速に起こるようになり、従って重大な問題（例えば、水晶体嚢バッグ（ｃａｐｓｕｌａｒ  ｂａｇ）の引き裂き）の可能性は増大する。
【０００３】
吸引流体流への抵抗を増大し、外科医がより高い真空レベル、すなわち、より高い保持力を、より遅い応答時間で使用することを可能にするための公知のデバイスが存在する。これらのデバイスは、吸引流体流に対する抵抗なしで可能であるよりも、外科的事象に対して応答するより長い時間を外科医に提供することにより、危険を限定または最小化して、外科医がより高い真空レベルの利益を有するのに役立つ。コイル状にされたチュ−ビングは、流抵抗を増大する１つの例である。増大した抵抗が、一連のコイルベンドを介して流を通すことにより達成されることが確かめられている。これは、流体がベンドを介して流れる場合、流体の圧力が下がるためである。しかし、コイルされたチュービングの欠点は、チュービング中に起こり得るコイル中の吸引詰まりの機会が、楕円形断面および屈曲部分に起因して増大することである。さらに、コイルされたチュービングの抵抗は、コイル半径の関数である。
【０００４】
吸引流に対する抵抗を増大する別のデバイスは、廃棄物を収集する別の非詰まりオリフィスであり、一般に、ファコガード（ｐｈａｃｏ−ｇｕａｒｄ）と呼ばれる。ファコガードは、小さなオリフィスに対して漏斗状にされる大きな断面領域フィルターである。これは、限定されたフィルターの詰まりを可能にし、全てのフィルター領域が詰まっていないという仮定に基づいている。しかし、フィルターは、依然として詰まり得る。
【発明の開示】
【発明が解決しようとする課題】
【０００５】
従って、流体流および吸引経路に対する抵抗を増大するためのコンパクトな、容易に製造される流体流レジスタを有することが、所望される。
【課題を解決するための手段】
【０００６】
（好ましい実施形態の詳細な説明）
眼科手術における使用のための流体流レジスタ１０が、図１に示される。レジスタ１０は、ハウジング１２を備え、ハウジング１２は、矢印１８および矢印２０により示される経路に沿ってハウジング中の流体流を受けるための入口１４および出口１６を備える。細長タービン２２が、ハウジング１２中に配置され、その結果入口１４からの流体流は、タービン２２を矢印２４により示されるようにスピンさせる。タービン２２のスピンは、流体流からエネルギーを抽出し、入口１４から出口１６への流体流への抵抗を効果的に増大する。
【０００７】
好ましくは、レジスタ１０は、タービンを最小の摩擦抵抗でスピンさせるためのハウジング１２とタービン２２との間のベアリング２６を備える。可能な限り多くのエネルギーを抽出するために、タービン２２を出来る限り束縛なくスピンさせることが、好ましい。しかし、その周りにスレッド３０が形成される中心シャフト２８上の摩擦力が、タービン２２がスピンする速度における因子であり、従って、ハウジング１２中の流体流から抽出されるエネルギーの量に影響することが、理解される。タービン２２がより容易にスピンすればするほど、ハウジング１２中の流体流からより多くのエネルギーが抽出され、流体流に対するより増大した抵抗が生じる。
【０００８】
眼科手術の間に、流体流は粒子（白内障の片３２のような）を含み、スレッド３０の各々の回転が、中心シャフト２８に沿って十分な距離の間隔を空けられており、吸引粒子が詰まることなく入口１４から出口１６へ流れることを可能にすることが、好ましい。
【０００９】
図１は、目の手術を行なう外科用ハンドピース（示さず）から入口１４への吸引ラインを形成する外科的チュービング３４を示す。出口１６に取付けられたチュービング３６は、代表的に当該分野で周知の標準的流体収集カセット（示さず）（Ｂａｕｓｃｈ  ＆  Ｌｏｍｂ’ｓ  ＭｉｌｌｅｎｎｉｕｍＴＭ  Ｓｕｒｇｉｃａｌ  Ｓｙｓｔｅｍとの使用に利用可能であるような）に接続される。
【００１０】
図２は、ハウジング１２を示し、このハウジングは、ベアリング２６および中心シャフト２８を支持する、支持部材３８を有するタービン２２を保持する。明らかに、間隔４０は、流体および粒子３２が支持部材３８を通り過ぎて束縛なく流れるのに十分大きくあるべきである。
【００１１】
眼科手術の間の実施において、手術部位において真空レベルが大きくなれば大きくなるほど、手術機器（例えば、白内障を壊し、白内障を患者の眼から取り除く水晶体様ハンドピースのような）により行なわれ得る作業はより多くなる。しかし、増大した真空は、眼の手術の間に、吸引経路が詰まる場合、特に詰まりの除去の直後に、特定の危険を導き得る。このような危険は、眼内の水晶体嚢バッグの崩壊、水晶体嚢バッグの引き裂き、または眼への他の外傷を含む。真空レベルが大きくなるほど、眼内で起こり得る可能性のある損傷は、より即座なものとなり、より大きくなり、そしてより迅速に外科医が詰まりの除去に応答する必要がある。より高い真空レベルの利益と事象が起こる速度との間の緊張は、いくらかの外科医達に、より高い真空の可能性のある問題を避けるために、より低い真空レベルで手術を実施させる。この代償を最小にするために、本発明は、流体収集カセットに接続した標準的な長さのチュービングで、吸引ライン中に導入される、他の方法で可能であるよりもより増大した抵抗のために、高い真空レベルが使用されることを可能にする。増大した流体流抵抗を導入することによって、より高い真空レベルが、いずれかの吸引の詰まりが外科医により扱うことが出来ない問題を引き起こすという恐れなしに、外科医により用いられ得る。
【００１２】
流体流に精通している者が十分知っているように、Ｂｅｒｎｏｕｌｌｉ等式は、摩擦に起因する流体流損失、抽出されるエネルギーに起因する流体流速度損失、および流体経路にエネルギーを導入することによる流体流増加のような因子を含む。眼科手術において代表的に、摩擦およびエネルギー抽出に起因する損失は、０に近似すると考えられる。しかし、本発明において、エネルギーは、タービン２２をスピンさせることにより、そしてタービンシャフト２８といずれかのベアリング表面２６との間の摩擦により、流体流経路から抽出され得る。流体流経路からエネルギーを取り除くＢｅｒｎｏｕｌｌｉの等式におけるこれらの因子は、流体流経路の長さを増大し、これは、流体流経路または吸引経路の流体流抵抗における増大を直接生じる。
【００１３】
図３は、レザバ４４中の外科的部位から吸引流体を受け、収集するための流体収集カセット４２と共に一体的に形成される図１における上記のようなタービンレジスタ１０を示す。カセット４２は、他の方法では好ましくは、眼科手術における使用のための他の周知の従来技術の流体収集カセットのように構築される。
【００１４】
従って、流体流経路からエネルギーを抽出し、流体流への抵抗を効果的に増大するためのタービン流体流レジスタが示される。
【図面の簡単な説明】
【００１５】
【図１】図１は、本発明に従う、流体流レジスタの断面図である。
【図２】図２は、図１の線２−２をとる、本発明に従う流体流レジスタの断面図である。
【図３】図３は、本発明に従う、吸引流体収集カセットの側面図である。
【図１】
2005531366.tif 000003
【図２】
2005531366.tif 000004
【図３】
2005531366.tif 000005
【国際調査報告】
2005531366.tif 000006
2005531366.tif 000007
2005531366.tif 000008